(57)【要約】【課題】接続する画像記憶装置の機種によって、自動的に最適な印刷設定を行い、印刷設定に基づいて印刷出力する。【解決手段】画像記憶装置と印刷装置を接続し、前記印刷装置において、前記画像記憶装置より、画像記憶装置機種情報を検出し、該画像記憶装置機種情報に基づいて、該印刷装置に予め記憶される、画像記憶装置情報と最適な印刷設定情報とを関連付けたテーブルより、接続中の画像記憶装置に最適な印刷設定情報を検出し、該印刷設定情報に基づいて印刷設定を行い、該印刷設定に基づいて印刷出力する。前記テーブルに該画像記憶装置機種情報に該当する情報が存在しない場合、デフォルト設定か、または、近似機種に最適な印刷設定か、または、新規画像記憶装置に最適な印刷設定情報を該画像記憶装置より検出設定する。【選択図】        図１
2005014459.tif 000002
【特許請求の範囲】
【請求項１】
ディジタル情報を記録紙に視認可能に記録する記録手段を有する印刷装置において、画像を記憶する記憶手段を有する画像記憶装置と有線または無線接続する手段と、
前記画像記憶装置と前記接続手段を介してディジタル情報の送受信を行う手段と、
前記画像記憶装置の機種情報を検出する手段と、
前記画像記憶装置の機種情報に応じて最適な設定情報を検出する手段と、
前記検出手段によって検出された設定情報に基づいて自動的に印刷設定を行う手段と、
前記印刷設定に基づいて印刷出力を行う手段と
を具備したことを特徴とする印刷装置。
【請求項２】
前記印刷装置において、
前記画像記憶装置の機種情報を検出する手段の１つは、
前記接続手段によって前記画像記憶装置と接続する時、
前記送受信手段によって、前記画像記憶装置の機種情報を受信する手段を具備したことを特徴とする請求項１に記載の印刷装置。
【請求項３】
前記印刷装置において、
前記画像記憶装置の機種情報を検出する手段の１つは、
前記送受信手段によって、前記画像記憶装置より印刷データを受信する時、該画像記憶装置の機種情報を受信する手段を具備したことを特徴とする請求項１に記載の印刷装置。
【請求項４】
前記印刷装置において、
前記印刷設定情報の１つは、
前記接続手段によって接続中の画像記憶装置に最適な画像処理設定情報であることを特徴とする請求項１に記載の印刷装置。
【請求項５】
前記印刷装置において、
前記接続手段によって接続中の前記画像記憶装置の機種ごとに、使用頻度が高いテンプレート画像を記憶する手段と、
前記接続手段によって前記画像記憶装置が接続された時、前記テンプレート情報記憶手段によって記憶される使用頻度が高いテンプレートを優先的に設定するテンプレート設定手段を具備したことを特徴とする印刷装置。
【請求項６】
前記印刷装置において、
前記接続機種情報検出手段（Ｓ２０８）によって検出される画像記憶装置の機種に最適な印刷設定を行うだけでなく、不適切な設定を禁止する手段を具備したことを特徴とする請求項１に記載の印刷装置。
【請求項７】
前記印刷装置において、
前記接続機種設定情報検出手段によって、前記接続手段によって接続された画像記憶装置の機種及び該接続機種に最適な印刷設定情報を検出不可能な場合、標準的なデフォルト印刷設定手段を行う手段とを具備したことを特徴とする請求項１に記載の印刷装置。
【請求項８】
前記印刷装置において、
前記接続機種設定情報検出手段によって、前記接続手段によって接続された画像記憶装置の機種及び該接続機種に最適な印刷設定情報を検出不可能な場合、最も近似する（例えば同じメーカー、同年代製などの）機種の画像記憶装置機種情報に基づいて印刷設定を行う手段とを具備したことを特徴とする請求項１に記載の印刷装置。
【請求項９】
前記印刷装置において、
前記接続機種設定情報検出手段によって、前記接続手段によって接続された画像記憶装置の機種及び該接続機種に最適な印刷設定情報を検出不可能な場合、
前記送受信手段によって、前記画像記憶装置機種情報と、該画像記憶装置に最適な印刷設定情報とを受信する手段と、
該画像記憶装置機種情報と該印刷設定情報の両情報とを関連付け、新規に印刷設定情報テーブルに登録する手段とを具備したことを特徴とする請求項１に記載の印刷装置。
【発明の詳細な説明】
【０００１】
【発明の属する技術分野】
本発明は、画像を記憶する手段を有する画像記憶装置及び、該画像記憶装置と接続する手段と、該接続を介してディジタル情報を送受信する手段と、該ディジタル情報を記録紙に視認可能に記録する記録手段とを有した印刷装置及び、印刷制御システムに関し、詳しくは、印刷装置において、接続中の画像記憶装置の機種情報に応じて最適な印刷設定を行う、または、不適な印刷設定を禁止することによって、印刷装置と画像記憶装置を接続するだけで、最適な印刷設定を行い、該印刷設定に基づいて最適な印刷出力を得る印刷制御を行うための構成に関するものである。
【０００２】
【従来の技術】
近年、ディジタル情報が様々な形態で取り扱われる機会が多くなってきている。
【０００３】
例えば、ディジタル情報を記憶する画像記憶装置と印刷装置を直接接続して画像データを出力する形態もその１つである。
【０００４】
そんな中、複数種類（ＰＣやディジタルカメラ、スキャナ等）の画像記憶装置と印刷装置を直接接続する環境において、印刷装置において如何なる画像記憶装置と接続した場合でも最適な印刷出力を行うためには、画像記憶装置の機種ごとに最適な印刷設定を行う必要があり、一般に、各画像記憶装置の機種によって印刷設定方法が異なるため、結果的に複雑な操作系になってしまうという欠点がある。
【０００５】
このような欠点を解消するものとして、自動的に印刷設定を行う印刷装置は存在する。
【０００６】
例えば、特許文献１においては、印刷装置に複数の外部機器が接続されている状態で、外部機器よりのデータに基づいて自動的に対応するインターフェースを選択するとともに、送られてくるデータを印刷装置に適合したデータに変換できる印刷制御方法及びその装置は開示されている。
【０００７】
【特許文献１】
特開平０７−２７１５３４号公報
【０００８】
【発明が解決しようとする課題】
しかしながら、この種の印刷装置及び印刷制御システムでは、入力データに基づいて自動的に印刷設定が行われるため、外部機器から入力がある度に、入力データの解析、解析結果に基づく設定が行われるため、処理が煩雑になるという問題がある。
【０００９】
例えば、特開平０７−２７１５３４においては、印刷装置に複数の外部機器が接続されている状態で、外部機器よりの入力データに基づいて自動的に対応するインターフェースを選択し、送られてくるデータを印刷装置に適合したデータに変換するため、データ入力時の処理が煩雑になる。
【００１０】
これに対し、本発明は従来技術の欠点を解消し、予め接続する画像記憶装置に対応する自動設定情報を記憶し、データ入力時、または接続時に一度だけ自動設定情報を検出することによって、複雑な処理や操作を行うことなく、容易に最適な印刷設定を行う印刷装置および印刷制御システムを提供することを目的とする。
【００１１】
【課題を解決するための手段】
上記目的を達成するために、本発明では、ディジタル情報を記録紙に視認可能に記録する手段を有する印刷装置において、ディジタル情報を記憶するメモリ手段と、画像を記憶する手段を有する画像記憶装置と有線または無線接続する手段と、前記接続手段を介してディジタル情報を送受信する手段と、前記送受信手段によって接続中の画像記憶装置の機種情報を検出する手段と、該画像記憶装置機種情報と、該画像記憶装置に最適な印刷設定情報とを対応付けたテーブルと、前記テーブルより、前記検出手段によって検出された画像記憶装置の機種情報に対応する最適な印刷設定情報を検出する手段と、前記接続手段によって接続する前記画像記憶装置の機種情報から該画像記憶装置に最適な印刷設定情報を検出不可能な場合、予め記憶されているデフォルトの印刷設定を行う手段と、前記印刷設定情報に基づいて自動的に印刷設定を行う手段と前記印刷設定に基づいて印刷出力を行う手段とを具備することを特徴とする。
【００１２】
前記印刷設定情報の１つは画像処理情報であり、前記接続手段によって接続中の画像記憶装置の機種ごとに最適な画像処理情報を記憶する手段と、該画像記憶装置が接続された時、自動的に該画像処理設定を行う手段によって設定されることを特徴とする。
【００１３】
また、前記印刷設定情報の１つはテンプレート情報であり、前記接続手段によって接続する画像記憶装置の機種ごとに使用頻度が高いテンプレート画像を記憶する手段と、該画像記憶装置が接続された時、該テンプレート画像を優先的に設定する手段によって設定されることを特徴とする。
【００１４】
また、別の形態では、前記接続機種情報検出手段によって検出される画像記憶装置の機種情報に応じて、不適切な設定を禁止する手段とを具備したことを特徴とする。
【００１５】
また、別の形態では、前記接続機種情報検出手段によって検出される画像記憶装置の機種に対応する、最適な印刷設定情報を検出不可能な場合、最も近い機種の画像記憶装置機種情報に基づいて印刷設定を行う手段とを具備したことを特徴とする。
【００１６】
また、別の形態では、前記接続機種情報検出手段によって検出される画像記憶装置の機種に対応する、最適な印刷設定情報を検出不可能な場合、前記送受信手段によって、該画像記憶装置機種情報と該画像記憶装置に最適な印刷設定情報とを受信し、両情報を対応付け、新規情報として前記接続機種設定情報テーブルに登録する手段とを具備したことを特徴とする。
【００１７】
【発明の実施の形態】
以下、図面を参照して本発明の実施形態を詳細に説明する。
【００１８】
図１〜図１０を用いて、第１〜第６実施形態に係る印刷装置の構成について説明する。
【００１９】
図１は、本発明の実施の形態における構成図である。
【００２０】
Ｓ１０１は、印刷装置、Ｓ１０２は、画像記憶装置の１つであるディジタルカメラ、Ｓ１０３は、前記印刷装置（Ｓ１０１）と前記画像記憶装置（Ｓ１０２）が、有線または無線接続している様子を示す。
【００２１】
図２は、本発明の実施の形態における、印刷装置の詳細の機能構成を示すブロック図である。
【００２２】
Ｓ２０１は、制御装置、Ｓ２０２は、印刷データなどを記憶しておくメモリ手段、Ｓ２０３は、ディジタルカメラやＰＣ、スキャナ等の画像記憶装置と有線または無線によって接続する接続手段、Ｓ２０４は、前記接続手段（Ｓ２０３）によって接続された画像記憶装置とディジタル情報を送受信する送受信手段、Ｓ２０５は、ディジタル情報を印刷出力するための画像処理手段、Ｓ２０６は、前記印刷設定情報設定手段（Ｓ２０６）によって設定された印刷設定に基づいて印刷を行う印刷手段、Ｓ２０７は、電源ＳＷ、Ｓ２０８は、前記接続手段（Ｓ２０３）によって接続中の画像記憶装置の機種情報を検出する接続機種情報検出手段、Ｓ２０９は、前記画像記憶装置機種情報と、該画像記憶装置に最適な印刷設定情報とを対応付けた接続機種設定情報テーブル、Ｓ２１０は、前記接続機種情報検出手段（Ｓ２０８）によって検出された接続機種情報を基に、前記接続機種設定情報テーブル（Ｓ２０９）より最適な印刷設定情報を検出する印刷設定情報検出手段、Ｓ２１１は、前記画像記憶装置の機種ごとに使用頻度の高いテンプレート画像を記憶しておくテンプレート情報記憶手段、Ｓ２１２は、前記画像記憶装置の機種ごとに最適な画像処理設定情報を記憶する画像処理情報記憶手段、Ｓ２１３は、前記画像処理情報記憶手段（Ｓ２１２）によって記憶される画像処理設定情報に基づいて、最適な画像処理設定を行う画像処理設定手段、Ｓ２１４は、前記接続手段（Ｓ２０３）によって接続中の画像記憶装置に不適切な印刷設定を禁止する不適切印刷設定禁止手段、Ｓ２１５は、前記接続機種情報検出手段（Ｓ２０８）によって接続機種情報が検出できない場合、標準的なデフォルトの印刷設定を行うデフォルト印刷設定手段、Ｓ２１６は、前記接続機種情報検出手段（Ｓ２０８）によって接続機種情報が検出できない場合、最も近い機種の機種情報に基づいて、印刷設定を行う近似機種情報印刷設定手段、Ｓ２１７は、前記接続機種情報検出手段（Ｓ２０８）によって接続機種情報が検出できない場合、前記接続手段（Ｓ２０３）によって接続中の画像記憶装置の機種情報と、該画像記憶装置に最適な印刷設定情報とを関連付け、両情報を新規に前記接続機種設定情報テーブル（Ｓ２０９）に登録する新規機種情報登録手段、Ｓ２１８は、前記テンプレート情報記憶手段（Ｓ２１１）によって記憶されるテンプレート情報に基づいて、テンプレートを設定するテンプレート設定手段、Ｓ２１９は、画像ディジタル情報などを視認可能に記録媒体に出力する、つまり記録紙にプリントするプリンタ部、Ｓ２２０は、前記プリンタ部（Ｓ２１９）を制御するプリンタ制御部、である。
【００２３】
本発明の範囲は、Ｓ２０５、Ｓ２０６、Ｓ２０８、Ｓ２０９、Ｓ２１０、Ｓ２１１、Ｓ２１２、Ｓ２１３、Ｓ２１４、Ｓ２１５、Ｓ２１６、Ｓ２１８である。
【００２４】
図３は、本発明の実施の形態における、画像記憶装置の１つであるディジタルカメラである。
【００２５】
Ｓ３０１は、シャッターボタン、Ｓ３０２は、ファインダ、Ｓ３０３は、ストロボ、Ｓ３０４は、レンズ、Ｓ３０５は、液晶ディスプレイ（ＬＣＤ）、Ｓ３０６は、送りボタン、Ｓ３０７は、戻しボタン、Ｓ３０８は、プリントボタンである。
【００２６】
図４は、本発明の実施の形態における、印刷装置の１つである小型プリンタである。
【００２７】
Ｓ４０１は、本印刷装置に着脱可能に装填される記録媒体、Ｓ４０２は、本印刷装置によって記録済みの記録紙、Ｓ４０３は、前記記録媒体（Ｓ４０１）の装填口、Ｓ４０４は、前記記録紙（Ｓ４０２）の排出口、Ｓ４０５は、電源ＳＷ、以上説明した画像記憶装置及び印刷装置に関する本発明の第１実施形態〜第６実施形態を以下に説明する。
【００２８】
（第１実施形態）
本発明の第１実施形態として、請求項１、請求項３、請求項４、請求項７を適応した印刷装置を挙げる。
【００２９】
具体的には、画像記憶装置の１つであるディジタルカメラと、印刷装置の１つである小型プリンタが接続されている形態で、前記印刷装置は、画像処理設定手段（Ｓ２１３）、印刷手段（Ｓ２０６）、接続機種情報検出手段（Ｓ２０８）、接続機種設定情報テーブル（Ｓ２０９）、印刷設定情報検出手段（Ｓ２１０）、デフォルト印刷設定手段（Ｓ２１５）、画像処理情報記憶手段（Ｓ２１２）、を具備したことを特徴とする。
【００３０】
以下にその概要について、図面を用いて説明する。
【００３１】
図１は、本発明を適応した第１実施形態における構成図である。
【００３２】
ディジタルカメラと印刷装置を接続しており、該ディジタルカメラから印刷データを受信した際に、該ディジタルカメラの機種情報を受信し、該ディジタルカメラ機種情報に基づいて、該ディジタルカメラに最適な画像処理設定情報を検出し、該画像処理設定情報に基づいて画像処理を施し、該画像処理結果に基づいて最適な印刷出力を行う。さらに、前記接続機種情報検出手段（Ｓ２０８）によって前記ディジタルカメラの機種情報が検出されない場合、または、該画像記憶装置機種情報に基づいて、前記接続機種設定情報テーブル（Ｓ２０９）より、前記ディジタルカメラに最適な画像処理情報が検出されない場合、標準的なデフォルト画像処理情報に基づいて画像処理を施し印刷出力する。
【００３３】
図５は、本発明を適応した第１実施形態を実施する際の、前記印刷装置における詳細なアルゴリズムである。
【００３４】
図５の詳細について説明する。
【００３５】
ステップ＃１は、本アルゴリズムのスタート地点である。ステップ＃２では、電源スイッチがＯＮであるか否かを判断する。「はい」であればステップ＃３へ、「いいえ」であればそのまま待機する。
【００３６】
ステップ＃３では、接続手段（Ｓ２０３）によって接続されたディジタルカメラからディジタル情報を受信したか否かを判断する。「はい」であれば該ディジタル情報を前記メモリ手段（Ｓ２０２）によって記憶し、ステップ＃４へ、「いいえ」であればそのまま待機する。
【００３７】
ステップ＃４では、前記接続機種情報検出手段（Ｓ２０８）によって接続中のディジタルカメラの機種情報を検出したか否かを判断する。「はい」であれば、該機種情報をメモリ手段（Ｓ２０２）によって記憶し、ステップ＃５へ、「いいえ」であれば、ステップ＃６へ遷移する。
【００３８】
ステップ＃５では、ステップ＃４において記憶した接続機種情報対応する、前記接続機種設定情報テーブル（Ｓ２０９）に、ステップ＃４において記憶した印刷設定情報が存在するか否かを判断する。「はい」であれば、ステップ＃６へ、「いいえ」であれば、ステップ＃７へ遷移する。
【００３９】
ステップ＃６では、前記印刷設定情報検出手段（Ｓ２１０）によって、前記接続機種設定情報テーブル（Ｓ２０９）より、接続中のディジタルカメラが記憶するディジタルデータを印刷するのに最適な画像処理情報を検出し、メモリ手段（Ｓ２０２）によって該画像処理情報を記憶する。該画像処理情報は、前記画像処理情報記憶手段（Ｓ２１２）によって記憶されている。
【００４０】
ステップ＃７では、前記デフォルト印刷設定手段（Ｓ２１５）によって標準的なデフォルトの印刷設定を行い、ステップ＃９に遷移する。
【００４１】
ステップ＃８では、ステップ＃６において検出された画像処理情報に基づいて、前記画像処理設定手段（Ｓ２１３）によって画像処理設定を行う。
【００４２】
ステップ＃９では、ステップ＃８において設定された画像処理設定に基づいて、前記画像処理手段（Ｓ２０５）によって、ステップ＃３において記憶されたディジタル画像情報に画像処理を施し、再度前記メモリ手段（Ｓ２０２）によって該ディジタル画像情報を記憶する。
【００４３】
ステップ＃１０では、前記印刷手段（Ｓ２０６）によって前記プリンタ制御部（Ｓ２２０）を介してプリンタ部（Ｓ２１９）を駆動し、予備吐出、目詰まり解消、ノズルの回復等を行う。
【００４４】
ステップ＃１１では、プリンタ制御部（Ｓ２２０）を介してプリンタ部（Ｓ２１９）を駆動し、ステップ＃９において記憶されたディジタル画像情報を印刷する。
【００４５】
ステップ＃１２では、印刷済み記録紙が記録紙排出口より排出される。
ステップ＃１３は、本アルゴリズムの終点である。
【００４６】
（第２実施形態）
本実施形態として、上記第１実施形態の変形例に関する、請求項１、請求項３、請求項５、請求項７を適応した印刷装置を挙げる。
【００４７】
具体的には、画像記憶装置の１つであるディジタルカメラと、印刷装置の１つである小型プリンタが接続されている形態で、前記印刷装置は、印刷手段（Ｓ２０６）、接続機種情報検出手段（Ｓ２０８）、接続機種設定情報テーブル（Ｓ２０９）、印刷設定情報検出手段（Ｓ２１０）、デフォルト印刷設定手段（Ｓ２１５）、テンプレート情報記憶手段（Ｓ２１１）、テンプレート設定手段（Ｓ２１８）を具備したことを特徴とする。
【００４８】
以下にその概要について、図面を用いて説明する。
【００４９】
図１は、本発明を適応した第２実施形態における構成図である。
【００５０】
第１実施形態において、接続機種情報に基づいて設定される情報は、接続機種ごとの使用頻度の高いテンプレート情報であってもよい。
【００５１】
以下にその概要について、図面を用いて説明する。
【００５２】
図６は、本発明を適応した第２実施形態を実施する際の、前記小型プリンタにおける詳細なアルゴリズムである。
【００５３】
図６について、第１実施形態と異なる点について説明する。
【００５４】
ステップ＃７では、前記接続手段（Ｓ２０３）によって接続するディジタルカメラにおいて、最も使用頻度の高いテンプレート情報を、前記印刷設定情報検出手段（Ｓ２１０）によって検出する。該テンプレート情報は、前記テンプレート情報記憶手段（Ｓ２１１）によって記憶されている。
【００５５】
ステップ＃８では、ステップ＃７において検出されたテンプレート情報に基づいて、前記テンプレート設定手段（Ｓ２１８）によってテンプレート設定を行う。
【００５６】
ステップ＃９では、ステップ＃８において設定されたテンプレート設定に基づいて、前記画像処理手段（Ｓ２０５）によって、ステップ＃３において記憶されたディジタル画像情報とステップ＃８において設定されたテンプレート画像とを合成し、再度前記メモリ手段（Ｓ２０２）によって該ディジタル画像情報を記憶する。
【００５７】
上記ステップを除くステップは、第１実施形態に示すアルゴリズムと同様である。
【００５８】
（第３実施形態）
本実施形態として、上記第１実施形態の変形例に関する、請求項１、請求項２、請求項４、請求項７を適応した印刷装置を挙げる。
【００５９】
具体的には、画像記憶装置の１つであるディジタルカメラと、印刷装置の１つである小型プリンタが接続されている形態で、前記印刷装置は、画像処理設定手段（Ｓ２１３）、印刷手段（Ｓ２０６）、接続機種情報検出手段（Ｓ２０８）、接続機種設定情報テーブル（Ｓ２０９）、印刷設定情報検出手段（Ｓ２１０）、デフォルト印刷設定手段（Ｓ２１５）、画像処理情報記憶手段（Ｓ２１２）、を具備したことを特徴とする。
【００６０】
以下にその概要について、図面を用いて説明する。
【００６１】
図１は、本発明を適応した第３実施形態における構成図である。
【００６２】
第１実施形態において、ディジタルカメラと小型プリンタを接続した時に、該ディジタルカメラよりディジタルカメラの機種情報を受信しても良い。
【００６３】
以下にその概要について、図面を用いて説明する。
【００６４】
図７は、本発明を適応した第３実施形態を実施する際の、前記小型プリンタにおける詳細なアルゴリズムである。
【００６５】
図７について、第１実施形態と異なる点について説明する。
【００６６】
ステップ＃３では、前記画像記憶装置と前記接続手段（Ｓ２０３）によって接続されたか否かを判断する。「はい」であれば、ステップ＃４へ、「いいえ」であれば、そのまま待機する。
【００６７】
ステップ＃１４では、前記送受信手段（Ｓ２０４）によって、ディジタル画像情報を受信したか否かを判断する。「はい」であれば、ステップ＃９へ、「いいえ」であればそのまま待機する。
【００６８】
上記ステップを除くステップは、第１実施形態に示すアルゴリズムと同様である。
【００６９】
（第４実施形態）
本実施形態として、上記第１実施形態の変形例に関する、請求項１、請求項３、請求項４、請求項６、請求項７を適応した印刷装置を挙げる。
【００７０】
具体的には、画像記憶装置の１つであるディジタルカメラと、印刷装置の１つである小型プリンタが接続されている形態で、前記印刷装置は、画像処理設定手段（Ｓ２１３）、印刷手段（Ｓ２０６）、接続機種情報検出手段（Ｓ２０８）、接続機種設定情報テーブル（Ｓ２０９）、印刷設定情報検出手段（Ｓ２１０）、デフォルト印刷設定手段（Ｓ２１５）、画像処理情報記憶手段（Ｓ２１２）、不適切印刷設定禁止手段（Ｓ２１４）を具備したことを特徴とする。
【００７１】
以下にその概要について、図面を用いて説明する。
【００７２】
図１は、本発明を適応した第４実施形態における構成図である。
【００７３】
第１実施形態において、前記画像記憶装置の接続機種情報に基づいて、該画像記憶装置に最適な印刷設定を行うだけでなく、該画像記憶装置に不適切な設定を禁止してもよい。
【００７４】
以下にその概要について、図面を用いて説明する。
【００７５】
図８は、本発明を適応した第４実施形態を実施する際の、前記小型プリンタにおける詳細なアルゴリズムである。
【００７６】
図８について、第１実施形態と異なる点について説明する。
【００７７】
ステップ＃１４では、マニュアル印刷設定（自動設定ではない操作者による設定）が設定されたか否かを判断する。「はい」であれば、ステップ＃１５へ、「いいえ」であれば、ステップ＃９へ遷移する。
【００７８】
ステップ＃１５では、前記不適切印刷設定禁止手段（Ｓ２１４）によって不適切な画像処理設定が行われているか否かを判断する。例えば、前記接続手段（２０３）によって接続されているディジタルカメラがモノクロ機である場合、印刷設定（画像処理情報設定）としてカラー印刷モードが設定されているか否かを判断する。「はい」であれば、ステップ＃１６へ、「いいえ」であれば、ステップ＃９へ遷移する。
【００７９】
ステップ＃１６では、ステップ＃１４で設定された無効なマニュアル印刷設定を無効にし、ステップ＃９に遷移する。例えば、前記接続手段（Ｓ２０３）によって接続されているディジタルカメラがモノクロ機である場合、カラー印刷モードを無効にする（モノクロ印刷モードを有効にする）。
【００８０】
上記ステップを除くステップは、第１実施形態に示すアルゴリズムと同様である。
【００８１】
（第５実施形態）
本実施形態として、上記第１実施形態の変形例に関する、請求項１、請求項３、請求項４、請求項７、請求項８を適応した印刷装置を挙げる。
【００８２】
具体的には、画像記憶装置の１つであるディジタルカメラと、印刷装置の１つである小型プリンタが接続されている形態で、前記印刷装置は、画像処理設定手段（Ｓ２１３）、印刷手段（Ｓ２０６）、接続機種情報検出手段（Ｓ２０８）、接続機種設定情報テーブル（Ｓ２０９）、印刷設定情報検出手段（Ｓ２１０）、デフォルト印刷設定手段（Ｓ２１５）、近似機種情報印刷設定手段（Ｓ２１６）、画像処理情報記憶手段（Ｓ２１２）、を具備したことを特徴とする。
【００８３】
図１は、本発明を適応した第５実施形態における構成図である。
【００８４】
第１実施形態において、前記接続機種情報検出手段（Ｓ２０８）によって前記ディジタルカメラの機種情報が検出されない場合、または、該画像記憶装置機種情報に基づいて、前記接続機種設定情報テーブル（Ｓ２０９）より、前記ディジタルカメラに最適な画像処理情報が検出されない場合、前記近似機種情報印刷設定手段（Ｓ２１６）によって、前記画像記憶装置機種情報を基に、接続中の前記ディジタルカメラの機種に最も近い（例えば同じメーカー）ディジタルカメラの機種情報に基づいて、適切な印刷設定を行ってもよい。
【００８５】
以下にその概要について、図面を用いて説明する。
【００８６】
図１は、本発明を適応した第５実施形態における構成図である。
【００８７】
図９図は、本発明を適応した第５実施形態を実施する際の、前記小型プリンタにおける詳細なアルゴリズムである。
【００８８】
図８について、第１実施形態と異なる点について説明する。
【００８９】
ステップ＃１４では、ステップ＃４において検出されたディジタルカメラ機種情報に基づいて、前記近似機種情報設定手段（Ｓ２１５）によって、前記接続手段（Ｓ２０３）によって接続中のディジタルカメラの機種に最も近い（例えば同メーカー、同年代製など）ディジタルカメラの機種に最適な画像処理設定情報を設定する。
【００９０】
上記ステップを除くステップは、第１実施形態に示すアルゴリズムと同様である。
【００９１】
（第６実施形態）
具体的には、画像記憶装置の１つであるディジタルカメラと、印刷装置の１つである小型プリンタが接続されている形態で、前記印刷装置は、画像処理設定手段（Ｓ２１３）、印刷手段（Ｓ２０６）、接続機種情報検出手段（Ｓ２０８）、接続機種設定情報テーブル（Ｓ２０９）、印刷設定情報検出手段（Ｓ２１０）、デフォルト印刷設定手段（Ｓ２１５）、新規機種情報登録手段（Ｓ２１７）、画像処理情報記憶手段（Ｓ２１２）、を具備したことを特徴とする。
【００９２】
図１は、本発明を適応した第５実施形態における構成図である。
【００９３】
第１実施形態において、前記接続機種情報検出手段（Ｓ２０８）によって前記ディジタルカメラの機種情報が検出されない場合、または、該画像記憶装置機種情報に基づいて、前記接続機種設定情報テーブル（Ｓ２０９）より、前記ディジタルカメラに最適な画像処理情報が検出されない場合、前記送受信手段（Ｓ２０４）によって前記画像記憶装置に最適な印刷設定情報を受信し、前記新規機種情報登録手段（Ｓ２１７）によって、前記画像記憶装置機種情報と、該最適印刷設定情報とを、対応付けた情報として、前記接続機種設定情報テーブルに新規登録する。
【００９４】
以下にその概要について、図面を用いて説明する。
【００９５】
図１は、本発明を適応した第６実施形態における構成図である。
【００９６】
図９は、本発明を適応した第５実施形態を実施する際の、前記小型プリンタにおける詳細なアルゴリズムである。
【００９７】
図９について、第１実施形態と異なる点について説明する。
【００９８】
ステップ＃１４では、ステップ＃４において検出されたディジタルカメラ機種情報と、前記送受信手段（Ｓ２０４）によって、該ディジタルカメラに最適な印刷設定情報（画像処理設定情報）とを対応付けて、前記新規機種情報登録手段（Ｓ２１７）によって前記接続機種設定情報テーブル（Ｓ２０９）に新規に登録する。
上記ステップを除くステップは、第１実施形態に示すアルゴリズムと同様である。
【００９９】
（他の実施形態）
本発明によれば、第１実施形態〜第６実施形態に示す手段を具備したことを特徴とする印刷装置においては、印刷設定手段は、画像処理設定手段（Ｓ２１３）、テンプレート設定手段（Ｓ２１８）に限らず、日付入力設定手段や、レイアウト設定手段など、その他の設定手段であっても良い。
【０１００】
また、第１実施形態〜第６実施形態における、画像記憶装置は、ディジタルカメラに限らず、画像を記憶する手段を具備したことを特徴とする装置であれば、ＰＣ、ＰＤＡ、スキャナなどであっても良い。同じく、印刷装置は、小型プリンタに限らず、記録紙に記録する手段を具備したことを特徴とする装置であれば、インクジェットプリンタ、レーザープリンタなどであっても良い。
【０１０１】
【発明の効果】
以上の説明から明らかなように、本発明によれば、画像記憶装置と接続された印刷装置において、接続する画像記憶装置の機種によって、自動的に最適な印刷設定情報を設定し、該設定情報に基づいて印刷出力することによって、操作者は、画像記憶装置の仕様や性能について通ずる必要なく、また、煩雑な設定を行うことなく、簡単に最適な印刷出力できるという効果が得られる。
【０１０２】
さらに、該印刷装置に予め登録してある画像記憶装置以外の、新たな画像記憶装置と接続した場合でも、標準的印刷設定であるデフォルトの設定に基づいて印刷する手段や、該画像記憶装置に最も近似する（例えば同じメーカー、同じ年代製など）機種の設定に基づいて印刷する手段や、新規画像記憶装置と該画像記憶装置の最適な印刷設定情報との両情報を新規に該印刷装置に登録する手段を具備することによって、スムーズに新しい画像記憶装置からでも最適な印刷出力を得られるという効果が得られる。
【０１０３】
さらに、接続する画像記憶装置の機種によって、自動的に最適な印刷設定情報を設定するだけでなく、不適切な印刷設定を禁止する手段を具備することによって、誤った印刷設定を防止できるという効果が得られる。
【図面の簡単な説明】
【図１】本発明を適応した第１実施形態〜第６実施形態を示す構成図である。
【図２】本発明の実施の形態における、印刷装置の詳細の機能構成を示すブロック図である。
【図３】本発明の実施の形態における、画像記憶装置の１つであるディジタルカメラである。
【図４】本発明の実施の形態における、印刷装置の１つである小型プリンタである。
【図５】本発明を適応した第１実施形態を実施する際の、小型プリンタにおける詳細なアルゴリズムである。
【図６】本発明を適応した第２実施形態を実施する際の、小型プリンタにおける詳細なアルゴリズムである。
【図７】本発明を適応した第３実施形態を実施する際の、小型プリンタにおける詳細なアルゴリズムである。
【図８】本発明を適応した第４実施形態を実施する際の、小型プリンタにおける詳細なアルゴリズムである。
【図９】本発明を適応した第５実施形態を実施する際の、小型プリンタにおける詳細なアルゴリズムである。
【図１０】本発明を適応した第６実施形態を実施する際の、小型プリンタにおける詳細なアルゴリズムである。
【図１】
2005014459.tif 000003
【図２】
2005014459.tif 000004
【図３】
2005014459.tif 000005
【図４】
2005014459.tif 000006
【図５】
2005014459.tif 000007
【図６】
2005014459.tif 000008
【図７】
2005014459.tif 000009
【図８】
2005014459.tif 000010
【図９】
2005014459.tif 000011
【図１０】
2005014459.tif 000012